(57)【特許請求の範囲】
【請求項１】
相対向する一対の第１部材及び両第１部材間を連結して相対向する一対の第２部材によって囲まれた部材間に挿入される矩形平板状の発泡合成樹脂製断熱材と、この断熱材を接着支持し、かつ前記両第１部材間及び両第２部材間を覆って両第１部材及び両第２部材上に張設される仕上材とによって構成され、上記断熱材が、底面が前記仕上材に接着される矩形状の基部と、両側面に沿って底面から頂面方向に頂面との間に間隔を残して形成された側部溝を介して基部と一体的に連結して第１部材に圧接する側部当接部と、上端面に沿って底面から頂面方向に頂面との間に間隔を残して形成された上部溝を介して基部と一体的に連結して一方の第２部材に圧接する上部当接部と、下端面に沿って底面から頂面方向に頂面との間に間隔を残して形成された下部溝を介して基部と一体的に連結して他方の第２部材に圧接する下部当接部とを有し、かつ前記側部当接部と上部当接部との各々の端部が側部溝と上部溝とのなす外角の半分の角度をもって側部溝と上部溝とが交わる部位から外方へ切欠かれた隅部溝を介して対向し、側部当接部と下部当接部との各々の端部が側部溝と下部溝とのなす外角の半分の角度をもって側部溝と下部溝とが交わる部位から外方へ切欠かれた隅部溝を介して対向することを特徴とする建築物用内装材。
【発明の詳細な説明】
【０００１】
【産業上の利用分野】
本発明は、建築物用内装材に関する。
【０００２】
【従来技術】
従来の建築物に使用される断熱材、例えば仕切壁の柱と間柱との間のような相対向する部材間に挿入される断熱材は、実公昭６１−４６０９６号公報、実公平２−１３６１７号公報に開示され、かつ図１１に示すように硬質発泡ポリウレタン、発泡ポリスチレン等の発泡合成樹脂製の板状成形部材３０に、その両面全面、或いは両端付近の所定範囲に多数の切込み溝３０ａを設け、矢印ａ方向に一定寸法自在に圧縮変形可能にしたものである。
【０００３】
このように形成された断熱材３０を図１２に示す相対向する部材である柱３１と間柱３２との間に挿入するには、先ず断熱材３０の一端３０ｂを柱３１或いは間柱３２の一方、例えば柱３１の角部３１ａに当接せしめ、他端３０ｃを矢印ｂ方向に押して断熱材３０を湾曲させ、鎖線３０′で示すように、他端３０ｃを間柱３２の内側に押込み、更に断熱材３０全体を矢印ｃ方向に押動させて柱３１と間柱３２との間に配設する。しかる後図１２（ａ）に示すように柱３１と間柱３２との間を横架する仕上材３３によって断熱材３０を被覆する。
【０００４】
【発明が解決しようとする課題】
上記断熱材３０にあっては、互いに平行な多数の切込み溝３０ａを有し、施工に際して断熱材３０を湾曲せしめて相対向する部材間に挿入することから、施工の際湾曲変形に起因する応力により断熱材が破損することがあり、かつ部材間に押込み挿入することにより図１２（ａ）のように湾曲して隙間ｄが生じることが多く、また柱３１及び間柱３２等の部材が特に木材である場合には、その部材にねじれ、或いは曲がりが生じて断熱材３０に偏心した力が作用して断熱材３０を湾曲せしめ、前記同様に仕上材２３との間に隙間ｄを発生させるおそれがある。更に断熱材３０の加工精度及び断熱材３０の上下端が当接する上側及び下側ランナの湾曲やねじれに起因して断熱材３０の上下端と上側ランナ及び下側ランナとの間に隙間が生じ、その結果これら隙間により空気が流通して断熱効果の低下を招くおそれがある。また断熱材３０と仕上材３３とを別途部材間に設けることからその取付作業が煩雑になり作業効率の低下を招来する等不具合がある。
【０００５】
従って、本発明の目的は、施工に際して断熱材の破損が回避でき、かつ確実な断熱効果の確保が得られ、更に取付作業の簡素化を図ることにより作業効率の向上が期待できる建築物用内装材を提供することにある。
【０００６】
【課題を解決するための手段】
上記目的を達成する本発明による建築物用内装材は、相対向する一対の第１部材及び両第１部材間を連結して相対向する一対の第２部材によって囲まれた部材間に挿入される矩形平板状の発泡合成樹脂製断熱材と、この断熱材を接着支持し、かつ前記両第１部材間及び両第２部材間を覆って両第１部材及び両第２部材上に張設される仕上材とによって構成され、上記断熱材が、底面が前記仕上材に接着される矩形状の基部と、両側面に沿って底面から頂面方向に頂面との間に間隔を残して形成された側部溝を介して基部と一体的に連結して第１部材に圧接する側部当接部と、上端面に沿って底面から頂面方向に頂面との間に間隔を残して形成された上部溝を介して基部と一体的に連結して一方の第２部材に圧接する上部当接部と、下端面に沿って底面から頂面方向に頂面との間に間隔を残して形成された下部溝を介して基部と一体的に連結して他方の第２部材に圧接する下部当接部とを有し、かつ前記側部当接部と上部当接部との各々の端部が側部溝と上部溝とのなす外角の半分の角度をもって側部溝と上部溝とが交わる部位から外方へ切欠かれた隅部溝を介して対向し、側部当接部と下部当接部との各々の端部が側部溝と下部溝とのなす外角の半分の角度をもって側部溝と下部溝とが交わる部位から外方へ切欠かれた隅部溝を介して対向することを特徴とする。
【０００７】
【実施例】
次に本発明における建築物用内装材の一実施例を内装材が壁材であって、相対向する第１部材が柱及び間柱で、第２部材が上部ランナ及び下部ランナの場合を例に図によって説明する。
【０００８】
図１は本実施例における断熱材１の裏面から見た斜視図であって、図２は図１のＡ−Ａ線断面図、図３は図１のＢ−Ｂ線断面図であって、図４は断熱材１を仕上材に取付けて形成した壁材の要部断面斜視図である。
【０００９】
断熱材１は、硬質発泡ポリウレタン、発泡ポリスチレン等の発泡合成樹脂材からなり、平面視略矩形の平板状で、頂面２と底面３が略平行な面であって、その両側面４、４、上端面５及び下端面６が各々頂面２から底面３方向へ移行するに従って外方へ変位して傾斜する断面略台形である。
【００１０】
更に、底面３の両側面４、４近傍部位に、この両側面４、４に沿って平行な側部溝７、７が形成されている。この側部溝７、７は、頂面２との間に間隔を残して形成され、その内側内面７ａ、７ａが互いに略平行で、かつ外側内面７ｂ、７ｂが略々前記両側面４、４と略平行な断面略くさび形であって、これら側部溝７、７によって断熱材１を基部１Ａと、この基部１Ａと頂面２側において一体的に連結する側部当接部１Ｂ、１Ｂとに分岐している。
【００１１】
同様に、底部３の上端面５近傍位置に、この上端面５に沿って平行な上部溝８が頂部２との間に間隔を残して形成され、底面３の下端面６近傍部位には下端面６に沿って平行な下部溝９が形成されていて、上部溝８の内側内面８ａと下部溝９の内側内面９ａとが互いに平行でかつ上部溝８の外側内面８ｂが上端面５と、下部溝９の外側内面９ｂが下端面６と各々平行であって、上部溝９及び下部溝９の断面形状が略くさび形に形成され、上部溝８、下部溝９によって断熱材１を基部１Ａと、この基部１Ａと頂部２側において一体に連結する上部当接部１Ｃ、下部当接部１Ｄとに分岐している。
【００１２】
更に断熱材１の各隅部には、側部溝７、７と上部溝８及び側部溝７、７と下部溝９が交わる部位から互いに交わる側部溝７、７と上部溝８とのなす外角αの半分の角α／２、即ち側部溝７、７と１３５°の角度をもって外方に切欠かれた隅部溝１０、１０‥‥が形成され、各隅部溝１０、１０‥‥の幅は、両側部溝７、７、上部溝８、下部溝９の幅の約１．５倍に形成されている。
【００１３】
また基部１Ａの頂面２から底面３までの長さ寸法Ｌ1 に対し、側部当接部１Ｂ、１Ｂ、上部当接部１Ｃ、下部当接部１Ｄの頂面２から各先端１Ｂａ、１Ｃａ、１Ｄａまでの長さ寸法Ｌ2 は若干、例えば２ｍｍ程度短く形成されて、後述する仕上材１５に貼設した際、各先端１Ｂａ、１Ｃａ、１Ｄａと仕上材１５とが間隙を介して対向するようになっている。
【００１４】
一方仕上材１５は、断熱材１を重畳した際、平面視断熱材１の外周に所定量周縁１５ａが突出する大きさを有する、例えばベニア合板、けい酸カルシウム板、繊維補強石こう板、石こうボード等からなる矩形板であって、図４に示すように仕上材１５の周縁１５ａが重畳した断熱材１から所定量突出するように仕上材１５の所定位置に断熱材１の基部１Ａの底面３を接着支持して壁材１６を形成する。
【００１５】
このように形成された壁材１６を建築物の柱及び間柱間に取付ける取付作業は、図５及び図６に説明断面図を示すように、柱１７、間柱１８、天井或いは梁１９に設けられた上部ランナ２０及び床２１に設けられた下部ランナ２２に囲まれた部材間に断熱材１の頂面２を挿入して柱１７及び間柱１８の各角部１７ａ、１８ａに断熱材１の両側面４、４を、上部ランナ２０の角部２０ａに上端面５を、下部ランナ２２の角部２２ａに下端面６を各々当接させて、柱１７、間柱１８、上部ランナ２０及び下部ランナ２２と、壁材１６との相対位置決めを行う。
【００１６】
次に相対位置決めされた壁材１６の仕上材１５全面を矢印ｆ方向に押し、仕上材１５を介して断熱材１を破線１′で示すように柱１７、間柱１８、上部ランナ２０、下部ランナ２２間に押し込むことにより、図７及び図８に断面図を示すように、仕上材１５の周縁１５ａを柱１７、間柱１８、上部ランナ２０、下部ランナ２２に当接せしめて、柱１７、間柱１８、上部ランナ２０及び下部ランナ２２上に仕上材１５を張設し、その当接した仕上材１５の周縁１５ａと柱１７、間柱１８、上部ランナ２０及び下部ランナ２２とを必要に応じてビス止め等適宜手段により固着する。
【００１７】
従って、壁板１６の取付け施工に際して、断熱材１と仕上材１５とが予め接着等により一体化されていることから、単に仕上材１５を介して断熱材１を柱１７、間柱１８、上部ランナ２０、下部ランナ２２間に押込むことにより所定位置に仕上材１５が位置決め固定され、作業用の簡素化が得られる。また断熱材１が仕上材１５によって補強され、断熱材１全体を湾曲する必要がないことから断熱材１の破損が回避される。
【００１８】
更に取付け施工された断熱材１の側部当接部１Ｂ、１Ｂが、柱１８、間柱１９によって矢印ｇ方向の押圧力を受け、側部溝７、７に沿って弾性的に傾倒変形し、その反力によって側部当接部１Ｂ、１Ｂの側面４、４が弾性的に柱１８及び間柱１９に圧接して柱１８、間柱１９がねじれ等で変形している場合でも断熱材１と柱１８、間柱１９との気密性が確保できる。
【００１９】
同様に、断熱材１の上部当接部１Ｃ、下部当接部１Ｄが各々上部ランナ２０及び下部ランナ２２による矢印ｈ、ｉ方向の押圧力によって上部溝８、下部溝９に沿って弾性的に傾倒変形し、その反力によって上部当接部１Ｃの上端面５及び下部当接部１Ｄの下端面６が各々上部ランナ２０及び下部ランナ２２に圧接して上部ランナ２０、下部ランナ２２にねじれ等の変形がある場合でも断熱材１と上部ランナ２０及び下部ランナ２２との気密性が確保でき、その結果断熱材１の外周を形成する両側面４、４、上端面５及び下端面６と、断熱材１を取囲む柱１７、間柱１８、上部ランナ２０及び下部ランナ２２とが各々隙間なく圧接して気密性が維持され、断熱材１の底面３と仕上材１５との間が接着して隙間が生じるおそれがないことと相俟って断熱効果が大幅に向上する。
【００２０】
また、取付状態において、隅部溝１０、１０‥‥を隔てて対向する両側部当接部１Ｂ、１Ｂと上部当接部１Ｃ、両側部当接部１Ｂ、１Ｂと下部当接部１Ｄの各端部が、各当接部１Ｂ、１Ｂ、１Ｃ、１Ｄの傾倒によって互いに当接し、過度の傾倒を阻止することにより両側面４、４、上端面５、下端面６の柱１８、間柱１９、上部ランナ２０、下部ランナ２２への圧接力が長期に亘って維持され、気密性が維持されて長期間に亘る断熱効果の確保が得られる。
【００２１】
なお、図９に平面図を示すように、断熱材１を複数、例えば３つの断熱材片１ａ、１ｂ、１ｃに分割して別個に製造し、蟻継ぎ、合じゃくり、或いは接着等により接合２３して断熱材１を形成することにより断熱材１の製造を容易にすることも可能であり、また図１０に断面を示すように、柱１７及び複数、例えば２本の間柱１８、１８間に亘る幅の広い仕上材１５に柱１７と間柱１８及び間柱１８と間柱１８との各々の間に嵌合するよう予め複数の断熱材１、１を接着支持して壁材１６を構成することにより施工の合理化を図ることも可能であり、また、予め仕上材及び仕上材に接着される断熱材の寸法を規格化することにより、所定の柱、間柱等の部材間の取付位置に所定の壁材を位置決め組付けることが可能であり、取付作業の大幅な効率向上が得られ、かつ柱、間柱等の部材に圧接する断熱材の当接部が溝を介して弾性的に傾倒可能であることから、壁材の取付後でも柱、間柱等の部材の垂直の修正、所謂“たち”を見ることが可能である。
【００２２】
以上説明では、内装材として壁材の場合を例に記載したが、壁材に限らず例えば床構造において、仕上材に上記実施例同様予め断熱材を接着して床材を形成し、断熱材を根太間に挿入することにより床材として適用することも可能であり、また天井材を仕上材に上記実施例同様予め断熱材を接着することにより形成し、天井構造の垂木間に断熱材を挿入して用いる等、その他の断熱効果を得ようとする建築物の対向する部材間に広く本発明は適用し得るものであり、構造が簡単なことと相俟って実用的効果大なるものである。
【００２３】
【発目の効果】
以上説明した本発明の建築物用内装材によれば、断熱材と仕上材とが予め接着等により一体化されることから単に仕上材を介して断熱材を対向する部材間に押込むことにより所定位置に装着され、取付作業の簡素化が得られ、これは予め各寸法を規格化することにより更に取付作業効率の向上が得られる。更に断熱材が仕上材によって補強され、かつ断熱材を湾曲変形せしめる必要がないことから、断熱材の破損が回避される。また取付施工された断熱材の両側部当接部、上部当接部及び下部当接部が対向する部材に弾性的に圧接することから断熱材と、断熱材を取囲む部材間の気密性が確保され、確実な断熱効果が得られる等本発明の効果大なるものである。
【図面の簡単な説明】
【図１】本発明の建築物用内装材の一実施例を内装材が壁材である場合を例として説明するための断熱材の斜視図である。
【図２】図１のＡ−Ａ線断面図である。
【図３】図１のＢ−Ｂ線断面図である。
【図４】壁材の要部断面斜視図である。
【図５】壁材の取付作業を説明する断面図である。
【図６】壁材の取付作業を説明する断面図である。
【図７】壁材を形成する断熱材の他の実施例を説明する平面図である。
【図８】壁材の他の実施例を説明する断面図である。
【図９】壁材の取付状態を説明する断面図である。
【図１０】同じく壁材の取付状態を説明する断面図である。
【図１１】従来の断熱材の斜視図である。
【図１２】従来の断熱材の取付作業を説明する断面図である。
【符号の説明】
１    断熱材
１Ａ  基部
１Ｂ  側部当接部
１Ｃ  上部当接部
１Ｄ  下部当接部
２    頂面
３    底面
４    側面
５    上端面
６    下端面
７    側部溝
８    上部溝
９    下部溝
１０    隅部溝
１５    仕上材
１６    壁材
１７    柱
１８    間柱
２０    上部ランナ
２２    下部ランナ
【図１】
0003542048.tif 000002
【図２】
0003542048.tif 000003
【図３】
0003542048.tif 000004
【図４】
0003542048.tif 000005
【図５】
0003542048.tif 000006
【図６】
0003542048.tif 000007
【図７】
0003542048.tif 000008
【図８】
0003542048.tif 000009
【図９】
0003542048.tif 000010
【図１０】
0003542048.tif 000011
【図１１】
0003542048.tif 000012
【図１２】
0003542048.tif 000013